【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
ベッド状の形態と椅子状の形態とに切換え可能な乳幼児用ベッドであって、
ベース部材と、
前フレーム部、後フレーム部、および一対の側部フレーム部を含み、前記一対の側部フレーム部が前記ベース部材に回動可能に支持されている剛性のあるフレーム部材と、
前記ベース部材に対する前記フレーム部材の角度を固定するロック機構と、
前壁部、後壁部、一対の側壁部、および底壁部を含み、前記フレーム部材から吊下げられるハンモック部材と、
前記ハンモック部材の底壁部上に配置され、乳幼児の背中を支える剛性のある背面支え部および乳幼児の尻を下から支える剛性のある座面支え部を含む芯材と、
前記座面支え部の前方端を前記フレーム部材に近づけるように座面支え部を立ち上がらせた状態で、前記フレーム部材に対する前記座面支え部の角度を固定する座面角度固定機構とを備え、
前記ベッド状の形態においては、前記フレーム部材がほぼ水平位置に維持されるとともに、前記芯材の背面支え部および座面支え部もほぼ水平位置に維持され、
前記椅子状の形態においては、前記フレーム部材は、その前方端が下方にもたらされた傾斜位置に維持されるとともに、前記芯材は、前記座面支え部の前方端が前記フレーム部材に近づく傾斜位置に維持される、乳幼児用ベッド。
【請求項２】
前記背面支え部の後方端を前記フレーム部材に近づけるように背面支え部を立ち上がらせた状態で、前記フレーム部材に対する前記背面支え部の角度を固定する背面角度固定機構をさらに備え、
前記椅子状の形態においては、前記背面支え部の後方端が前記フレーム部材に近づく傾斜位置に維持される、請求項１に記載の乳幼児用ベッド。
【請求項３】
前記芯材は、上部ガード部を含み、前記上部ガード部は、前記ハンモック部材に接続された上方端と、前記背面支え部の後方端に屈曲可能に接続された下方端とを含み、前記ベッド状の形態において記ハンモック部材の後壁部に沿って位置し、前記椅子状の形態において前記背面支え部とほぼ同一平面上に位置する、請求項１または２に記載の乳幼児用ベッド。
【請求項４】
前記背面角度固定機構は、前記背面支え部の背面を通り、その両端が前記フレーム部材の一対の側部フレーム部に連結された背面支えベルトと、前記背面支えベルトの長さを調節する背面支えベルト長さ調節部材とを含む、請求項２に記載の乳幼児用ベッド。
【請求項５】
前記座面角度固定機構は、前記座面支え部の背面を通り、その両端が前記フレーム部材の一対の側部フレーム部に連結された座面支えベルトと、前記座面支えベルトの長さを調節する座面支えベルト長さ調節部材とを含む、請求項１〜４のいずれかに記載の乳幼児用ベッド。
【請求項６】
前記芯材は、前記ハンモック部材から分離可能に設けられ、
当該乳幼児用ベッドは、前記ハンモック部材と前記芯材の上部ガード部とを離脱可能に接続する接続部材をさらに備える、請求項３に記載の乳幼児用ベッド。
【請求項７】
前記芯材は、足支え部を含み、前記足支え部は、前記座面支え部の前方端に屈曲可能に接続され、前記ベッド状の形態においては前記ハンモック部材の底壁部上で前記座面支え部とほぼ同一平面に位置し、前記椅子状の形態においては前記座面支え部の前方端から下方に垂れ下がる、請求項１〜６のいずれかに記載の乳幼児用ベッド。
【請求項８】
前記一対の側部フレーム部の中央領域を接続する逆Ｕ字形状の持ち手部材をさらに備える、請求項１〜７のいずれかに記載の乳幼児用ベッド。
【請求項９】
前記ベース部材は、乳母車車体に取り外し可能に装着される、請求項１〜８のいずれかに記載の乳幼児用ベッド。
【請求項１０】
前記ベース部材は、室内の床上に置かれるサポート台に取り外し可能に装着される、請求項１〜９のいずれかに記載の乳幼児用ベッド。
【請求項１１】
前記ベース部材は、乳母車車体である、請求項１〜８のいずれかに記載の乳幼児用ベッド。
【手続補正２】
【補正対象書類名】明細書
【補正対象項目名】００１６
【補正方法】変更
【補正の内容】
【００１６】
この発明に従った乳幼児用ベッドは、ベッド状の形態と椅子状の形態とに切換え可能なものであって、ベース部材と、フレーム部材と、ロック機構と、ハンモック部材と、芯材と、座面角度固定機構とを備える。好ましい実施形態では、乳幼児用ベッドは、さらに、背面角度固定機構を備える。
【手続補正３】
【補正対象書類名】明細書
【補正対象項目名】００１９
【補正方法】変更
【補正の内容】
【００１９】
背面角度固定機構は、芯材の背面支え部の後方端をフレーム部材に近づけるように背面支え部を立ち上がらせた状態で、フレーム部材に対する背面支え部の角度を固定する。座面角度固定機構は、芯材の座面支え部の前方端をフレーム部材に近づけるように座面支え部を立ち上がらせた状態で、フレーム部材に対する座面支え部の角度を固定する。
【手続補正４】
【補正対象書類名】明細書
【補正対象項目名】００２０
【補正方法】変更
【補正の内容】
【００２０】
ベッド状の形態においては、フレーム部材がほぼ水平位置に維持されるとともに、芯材の背面支え部および座面支え部もほぼ水平位置に維持される。椅子状の形態においては、フレーム部材は、その前方端が下方にもたらされた傾斜位置に維持されるとともに、芯材は、座面支え部の前方端がフレーム部材に近づく傾斜位置に維持される。好ましい実施形態では、椅子状の形態において、背面支え部の後方端がフレーム部材に近づく傾斜位置に維持される。
【手続補正５】
【補正対象書類名】明細書
【補正対象項目名】００２１
【補正方法】変更
【補正の内容】
【００２１】
上記の構成を備える本発明の好ましい実施形態によれば、フレーム部材を傾斜位置にし、芯材の背面支え部を背面角度固定機構によって所望の傾斜角度に維持し、芯材の座面支え部を座面角度固定機構によって所望の傾斜角度に維持することによってベッド状の形態から椅子状の形態に簡単に変更することができる。また、芯材の背面支え部を傾斜位置にもたらすことによって椅子状の形態に変換するものであるので、ハンモックの後壁部に沿って剛性のある部材を配置することが可能になり、乳幼児の頭の保護を配慮した構造を実現できる。さらに、背面支え部の傾斜角度と、座面支え部の傾斜角度とを独立して調整することにより、乳幼児の成長段階に応じて背面支え部と座面支え部との交差角度を適宜調整することができる。
【手続補正６】
【補正対象書類名】明細書
【補正対象項目名】００２３
【補正方法】変更
【補正の内容】
【００２３】
好ましい実施形態では、背面角度固定機構は、芯材の背面支え部の背面を通り、その両端がフレーム部材の一対の側部フレーム部に連結された背面支えベルトと、背面支えベルトの長さを調節する背面支えベルト長さ調節部材とを含む。さらに好ましくは、座面角度固定機構は、座面支え部の背面を通り、その両端がフレーム部材の一対の側部フレーム部に連結された座面支えベルトと、座面支えベルトの長さを調節する座面支えベルト長さ調節部材とを含む。これらの実施形態によれば、ベルトの長さを調節するだけで、芯材の背面支え部または座面支え部の傾斜角度を簡単に調整することができる。
【手続補正７】
【補正対象書類名】明細書
【補正対象項目名】００３４
【補正方法】変更
【補正の内容】
【００３４】
図１１は、乳幼児用ベッド２０の全体を示している。乳幼児用ベッド２０は、前述した乳母車車体１０の支柱１７に係合して固定されるベース部材２１と、このベース部材２１に回動可能に支持される剛性のあるフレーム部材２３と、ベース部材２１に対するフレーム部材２３の角度を固定するロック機構９０と、フレーム部材２３から吊り下げられたハンモック部材３０と、ハンモック部材３０の底壁部３０ｄ上に配置された芯材４０と、芯材４０の背面支え部４１の傾斜角度を固定する第一角度固定機構（背面角度固定機構）６０と、芯材４０の座面支え部４２の傾斜角度を固定する第二角度固定機構（座面角度固定機構）７０とを備える。
【手続補正８】
【補正対象書類名】明細書
【補正対象項目名】００５２
【補正方法】変更
【補正の内容】
【００５２】
第一角度固定機構６０は、芯材４０の背面支え部４１の背面に設けられた２個のベルトガイド４７を通り、その両端がフレーム部材２３の一対の側部フレーム部２３ｃに連結された背面支えベルト６１と、背面支えベルト６１の長さを調節する第一長さ調節部材（背面支えベルト長さ調節部材）６２とを備える。第二角度固定機構７０は、芯材４０の座面支え部４２の背面に設けられた２個のベルトガイド４８を通り、その両端がフレーム部材２３の一対の側部フレーム部２３ｃに連結された座面支えベルト７１と、座面支えベルト７１の長さを調節する第二長さ調節部材（座面支えベルト長さ調節部材）７２とを備える。ベルトの長さ調節部材６２，７２としては、一方の側部フレーム部から芯材４０の背面を経由して他方の側部フレーム部に至るまでのベルトの長さを調節できるものであればよく、公知の種々の形態や構造のものを使用できる。